(57)【要約】【課題】巻かれた状態でフレキシブル表示パネルの表示領域に具備された画素の不良発生を防止できる巻き取り可能な表示装置が提供される。【解決手段】本発明による巻き取り可能な表示装置はフレキシブル表示パネル及びハウジングを含む。フレキシブル表示パネルは映像を表示する表示領域と、表示領域の第１方向一側に連結され、映像を表示しないダミー領域とを含む。フレキシブル表示パネルはハウジングの外周面に巻き取れる。ダミー領域は前記ハウジング内部に固定される第１ダミー部と、前記第１ダミー部と連結され、ハウジングを少なくとも１回包まる第２ダミー部と、を含む。【選択図】図２
2015152922.tif 000002
【特許請求の範囲】
【請求項１】
映像を表示する表示領域及び前記表示領域の第１方向の一側に連結されたダミー領域であって、映像を表示しないダミー領域を含むフレキシブル表示パネルと、
前記フレキシブル表示パネルが外周面に巻かれるハウジングと、を含み、
前記ダミー領域は、前記ハウジングの内部に固定される第１ダミー部と、前記第１ダミー部と連結された第２ダミー部であって、前記ハウジングを少なくとも１回覆う第２ダミー部と、を含むことを特徴とする巻き取り可能な表示装置。
【請求項２】
前記ハウジングは、円筒状を有することを特徴とする請求項１に記載の巻き取り可能な表示装置。
【請求項３】
前記ハウジングは、
円から扇形状が切除された切断面を有する柱形状を有するメインハウジングと、
当該扇形状の切断面を有する柱形状を有するサブハウジングと、を含み、
前記第２ダミー部は、前記メインハウジングの内側面に結合されることを特徴とする請求項２に記載の巻き取り可能な表示装置。
【請求項４】
前記サブハウジングは、前記第２ダミー部を介して前記メインハウジングの内側面と対向するように前記メインハウジングと結合されることを特徴とする請求項３に記載の巻き取り可能な表示装置。
【請求項５】
前記第２ダミー部は、前記ハウジングの円周より大きいか、或いは同一の前記第１方向の長さを有することを特徴とする請求項２に記載の巻き取り可能な表示装置。
【請求項６】
前記フレキシブル表示パネルは、
絶縁基板と、
前記絶縁基板上に配置された映像表示部であって、光を発光するか、或いは入射された光を制御する映像表示部と、
前記映像表示部を介して前記絶縁基板と対向する偏光フィルムと、
前記絶縁基板を介して前記映像表示部と対向する保護フィルムと、
を含むことを特徴とする請求項１に記載の巻き取り可能な表示装置。
【請求項７】
前記絶縁基板は、
前記表示領域に重畳する表示絶縁基板と、
前記ダミー領域に重畳するダミー絶縁基板を含む
ことを特徴とする請求項６に記載の巻き取り可能な表示装置。
【請求項８】
前記偏光フィルムは、
前記表示領域に重畳する表示偏光フィルムと、
前記ダミー領域に重畳するダミー偏光フィルムと、
を含むことを特徴とする請求項６に記載の巻き取り可能な表示装置。
【請求項９】
前記保護フィルムは、
前記表示領域に重畳する表示保護フィルムと、
前記ダミー領域に重畳するダミー保護フィルムと、
を含むことを特徴とする請求項６に記載の巻き取り可能な表示装置。
【請求項１０】
前記ダミー領域に重畳するダミーフィルムをさらに含むことを特徴とする請求項６に記載の巻き取り可能な表示装置。
【発明の詳細な説明】
【技術分野】
【０００１】
本発明は巻き取り可能な表示装置に関し、さらに詳細には、表示品質が向上された巻き取り可能な表示装置に関する。
【背景技術】
【０００２】
フレキシブル表示装置は市場の要求に応じて開発が進んでいる。フレキシブル表示装置は、特定曲率を有する状態に固定された曲面表示装置（ＣＵＲＶＥＤ  ＤＩＳＰＬＡＹ  ＡＰＰＡＲＡＴＵＳ）、特定曲率半径以上に曲がれるか、或いはフォールディング軸を基準に曲がれる折りたたみ表示装置（ＦＯＬＤＡＢＬＥ  ＤＩＳＰＬＡＹ  ＡＰＰＡＲＡＴＵＳ）、及び特定曲率半径に巻き取り可能な表示装置（ＲＯＬＬＡＢＬＥ  ＤＩＳＰＬＡＹ  ＡＰＰＡＲＡＴＵＳ）を含む。
【０００３】
この中で、巻き取り可能な表示装置は広いディスプレー面積及び優れた携帯性を有するとの長所を有するので、多い研究が進行されている。
【０００４】
巻き取り可能な表示装置はハウジングにフレキシブル表示パネルを巻くことが一般的であるが、フレキシブル表示パネルがハウジングに巻かれている間に、フレキシブル表示パネルの一部領域に過渡なストレスや刻み目が発生し、これはその一部領域に具備された画素の欠陥として現れる。
【先行技術文献】
【特許文献】
【０００５】
【特許文献１】米国特許公開第２００８／００１３２９２号明細書
【特許文献２】米国特許公開第２０１３／０１２７７９９号明細書
【発明の概要】
【発明が解決しようとする課題】
【０００６】
本発明が達成しようする課題は、フレキシブル表示パネルがハウジングに巻かれた状態において、フレキシブル表示パネルの表示領域に具備された画素の不良発生を防止できる巻き取り可能な表示装置を提供することにある。
【課題を解決するための手段】
【０００７】
本発明の様々な実施形態による巻き取り可能な表示装置は、フレキシブル表示パネル及びハウジングを含む。
【０００８】
フレキシブル表示パネルは、映像を表示する表示領域及び表示領域の第１方向一側に連結されたダミー領域であって、映像を表示しないダミー領域を含むことができる。
【０００９】
フレキシブル表示パネルは、ハウジングの外周面に巻かれることができる。
【００１０】
ダミー領域は、ハウジングの内部に固定される第１ダミー部と、第１ダミー部と連結された第２ダミー部であって、ハウジングを少なくとも１回覆う第２ダミー部と、を含むことができる。
【００１１】
ハウジングは、円筒状を有する。
【００１２】
ハウジングはメインハウジング及びサブハウジングを含むことができる。
【００１３】
メインハウジングは、円から扇形状が切除された切断面を有する柱形状を有する。サブハウジングは、切除された扇形状の切断面を有する柱形状を有する。
【００１４】
第２ダミー部は、メインハウジングの内側面に結合される。
【００１５】
フレキシブル表示パネルは、絶縁基板、映像表示部、偏光フィルム、及び保護フィルムを含むことができる。映像表示部は絶縁基板上に配置され、光を発光するか、或いは入射された光を制御することができる。偏光フィルムは映像表示部を介して絶縁基板と対向することができる。保護フィルムは絶縁基板を介して映像表示部と対向することができる。
【００１６】
本発明の一実施形態による巻き取り可能な表示装置において、絶縁基板は表示絶縁基板及びダミー絶縁基板を含むことができる。表示絶縁基板は表示領域に重畳する。ダミー絶縁基板はダミー領域に重畳する。偏光フィルム及び保護フィルムの各々は表示領域に重畳するが、ダミー領域に重畳しない。
【００１７】
本発明の他の実施形態による巻き取り可能な表示装置において、偏光フィルムは表示偏光フィルム及びダミー偏光フィルムを含むことができる。表示偏光フィルムは表示領域に重畳する。ダミー偏光フィルムはダミー領域に重畳する。絶縁基板及び偏光フィルムの各々は表示領域に重畳するが、ダミー領域に重畳しない。
【００１８】
本発明のその他の実施形態による巻き取り可能な表示装置において、保護フィルムは表示保護フィルム及びダミー保護フィルムを含むことができる。表示保護フィルムは表示領域に重畳する。ダミー保護フィルムはダミー領域に重畳する。絶縁基板及び偏光フィルムの各々は表示領域に重畳するが、ダミー領域に重畳しない。
【００１９】
本発明のその他の実施形態による巻き取り可能な表示装置はダミー領域に重畳するダミーフィルムをさらに含むことができる。絶縁基板、偏光フィルム、及び保護フィルムの各々は表示領域に重畳するが、ダミー領域に重畳しない。
【発明の効果】
【００２０】
本発明による巻き取り可能な表示装置によれば、フレキシブル表示パネルがハウジングに巻かれた状態において、フレキシブル表示パネルの表示領域に具備された画素の不良発生を防止することができる。
【図面の簡単な説明】
【００２１】
【図１】本発明の一実施形態による巻き取り可能な表示装置を示した斜視図である。
【図２】図１の巻き取り可能な表示装置を示した側面図である。
【図３】図１のフレキシブル表示パネルを示した平面図である。
【図４】本発明の一実施形態による巻き取り可能な表示装置において、図３のＩ−Ｉ’線に沿って切断した断面図である。
【図５】本発明の他の実施形態による巻き取り可能な表示装置において、図３のＩ−Ｉ’線に沿って切断した断面図である。
【図６】本発明のその他の実施形態による巻き取り可能な表示装置において、図３のＩ−Ｉ’線に沿って切断した断面図である。
【図７】本発明のその他の実施形態による巻き取り可能な表示装置において、図３のＩ−Ｉ’線に沿って切断した断面図である。
【発明を実施するための形態】
【００２２】
以上の本発明の目的、他の目的、特徴及び長所は添付された図面に関連された以下の望ましい実施形態を通じて容易に理解できる。しかし、本発明はここで説明される実施形態に限定されなく、他の形態に具体化されることもあり得る。むしろ、紹介される実施形態は開示された内容が徹底であり、完全になることできるように、そして当業者に本発明の思想が十分に伝達されるようにするために提供される。
【００２３】
図１は本発明の一実施形態による巻き取り可能な表示装置１０００を示した斜視図であり、図２は図１の巻き取り可能な表示装置１０００を示した側面図であり、図３は図１のフレキシブル表示パネル１００を示した平面図である。
【００２４】
図１乃至図３を参照すれば、巻き取り可能な表示装置１０００は、フレキシブル表示パネル１００及びハウジング２００を含む。
【００２５】
フレキシブル表示パネル１００は、表示領域ＤＡ及びダミー領域ＭＡを含む。表示領域ＤＡは、映像を表示する。ダミー領域ＭＡは表示領域ＤＡの一側に連結され、映像を表示しない。平面上でフレキシブル表示パネル１００は長方形状を有し、長辺方向である第１方向ＤＲ１に沿って表示領域ＤＡとダミー領域ＭＡとは互いに隣接する。
【００２６】
フレキシブル表示パネル１００は、フレキシブルな素材の基板を採用しており、フレキシブルである。
【００２７】
ダミー領域ＭＡは、第１ダミー部ＭＡ１及び第２ダミー部ＭＡ２を含む。第１ダミー部ＭＡ１はハウジング２００の内部に固定される。第２ダミー部ＭＡ２はハウジング２００の外周面を少なくとも１回覆う。
【００２８】
ハウジング２００はフレキシブル表示パネル１００を巻き取るための巻取芯（ｗｒａｐ  ｃｏｒｅ）として機能する。ハウジング２００は円筒状を有する。
【００２９】
巻き取り可能な表示装置１０００は、巻かれた状態及び引き出された状態で動作する。巻かれた状態において、フレキシブル表示パネル１００は、ハウジング２００の外周面に沿って巻き取られる。引き出された状態において、フレキシブル表示パネル１００は、巻き取られる方向に対して反対方向に引き出される。
【００３０】
ハウジング２００は、メインハウジング２１０及びサブハウジング２２０を含む。メインハウジング２１０は、円から扇形状が切除された切断面を有する柱形状である。第１ダミー部ＭＡ１は、メインハウジング２１０の内側面２１１に面対面で結合される。具体的に、第１ダミー部ＭＡ１は、メインハウジング２１０の内側面２１１に接着剤を通じて接着されるか、或いはスクリューのような締結部材を通じて結合される。
【００３１】
サブハウジング２２０は、除外された扇形状の切断面を有する柱形状である。サブハウジング２２０は、第２ダミー部ＭＡ２を介してメインハウジング２１０の内側面２１１と対向するようにメインハウジング２１０と結合される。メインハウジング２１０及びサブハウジング２２０が結合された状態の切断面は、円形状である。
【００３２】
メインハウジング２１０とサブハウジング２２０とが結合されることによって、フレキシブル表示パネル１００はさらに堅固にハウジング２００内部に固定される。
【００３３】
一方、これに制限されることではなく、内部にフレキシブル表示パネル１００が固定できれば、ハウジング２００は多様な形状を有してもよい。一例として、ハウジングは高さ方向に沿って外周面に溝が具備された円筒状であってもよく、第２ダミー部ＭＡ２は溝に挟まれてハウジングの内部に固定されてもよい。
【００３４】
第２ダミー部ＭＡ２はハウジング２００の円周より大きいか、或いは同じ第１方向ＤＲ１の長さを有する。フレキシブル表示パネル１００がハウジング２０に巻かれた状態において、第２ダミー部ＭＡ２はハウジング２００の外周面を少なくとも１回覆うので、表示領域ＤＡは第２ダミー部ＭＡ２と接触するが、ハウジング２００の外周面とは接触しない。
【００３５】
図２において、参照符号Ａ１により示された領域は、第１ダミー部ＭＡ１及び第２ダミー部ＭＡ２の境界領域である。フレキシブル表示パネル１００の第１ダミー部ＭＡ１と第２ダミー部ＭＡ２との間で鋭角な曲がり目が発生する。もし、第１ダミー部ＭＡ１及び第２ダミー部ＭＡ２が形成されず、表示領域ＤＡのみから形成されたフレキシブル表示パネルの場合、当該曲がり目が発生した地点で重畳された画素は当該曲がり目によるストレスを受けて不良が発生し、これは１ラインの画素の欠陥として現れる。
【００３６】
本発明の一実施形態による表示装置によれば、フレキシブル表示パネル１００は第１ダミー領域ＭＡ１及び第２ダミー領域ＭＡ２を含み、映像が表示されない第２ダミー領域ＭＡ２で曲がり目が発生するので、参照符号Ａ１により示された領域で画素の欠陥が発生する問題を解決することができる。
【００３７】
図２において、参照符号Ａ２により示された領域はメインハウジング２１０とサブハウジング２２０との境界領域である。メインハウジング２１０とサブハウジング２２０とは別の構成に具備された場合、エッジ練磨等によってメインハウジング２１０とサブハウジング２２０との間に間隙が発生する。もし、第１ダミー部ＭＡ１及び第２ダミー部ＭＡ２が形成されず、表示領域ＤＡのみから形成されたフレキシブル表示パネルの場合、メインハウジング２１０とサブハウジング２２０との間の間隙で重畳された画素は不良が発生し、これは１ラインの画素の欠陥に示される。
【００３８】
本発明の一実施形態による表示装置によれば、フレキシブル表示パネル１００は第１ダミー領域ＭＡ１及び第２ダミー領域ＭＡ２を含み、映像が表示されない第２ダミー領域ＭＡ２がメインハウジング２１０とサブハウジング２２０との間の間隙と重なるので、参照符号Ａ２により示された領域で発生する問題を解決することができる。
【００３９】
図２において、参照符号Ａ３により示された領域は、第１ダミー部ＭＡ１と第２ダミー部ＭＡ２との境界において重畳された第２ダミー部ＭＡ２の一部領域である。第１ダミー部ＭＡ１及び第２ダミー部ＭＡ２が連結された地点において、第１ダミー部ＭＡ１を基準とする左側及び右側は、フレキシブル表示パネル１００の厚さ程度の段差を有する。もし、第１ダミー部ＭＡ１及び第２ダミー部ＭＡ２が形成されず、表示領域ＤＡのみから形成されたフレキシブル表示パネルの場合、段差に重畳された画素は不良が発生し、これは１ラインの画素の欠陥として現れる。
【００４０】
本発明の一実施形態による表示装置によれば、フレキシブル表示パネル１００は第１ダミー領域ＭＡ１及び第２ダミー領域ＭＡ２を含み、映像が表示されない第２ダミー領域ＭＡ２がハウジング２００を少なくとも１回覆うので、参照符号Ａ３で示された領域で発生する問題を解決することができる。
【００４１】
図４は本発明の一実施形態による巻き取り可能な表示装置において、図３のＩ−Ｉ’線に沿って切断した断面図である。
【００４２】
図４を参照すれば、フレキシブル表示パネル１０１は絶縁基板１１０、映像表示部１２０、偏光フィルム１３０、及び保護フィルム１４０を含む。
【００４３】
絶縁基板１１０は透明な物質からなされ、フレキシブルな基板である。例えば、絶縁基板１１０はポリイミドから形成されてもよい。
【００４４】
絶縁基板１１０は、表示領域ＤＡと重畳する表示絶縁基板１１１及びダミー領域ＭＡと重畳するダミー絶縁基板１１２を含む。絶縁基板１１０は第１方向ＤＲ１に第１長さＷ１を有する。第１長さＷ１は、表示領域ＤＡにおける第１方向ＤＲ１の長さ及びダミー領域ＭＡにおける第１方向ＤＲ１の長さの合計と同一である。
【００４５】
映像表示部１２０は光を発光するか、或いは入射された光を制御する。映像表示部１２０はフレキシブル表示装置で採用可能な多様な形態の表示素子を含む。例えば、映像表示部１２０は電気泳動表示素子、エレクトロ・ウェッティング表示素子、及び有機発光表示素子の中で少なくとも１つである。以下において、一例として、映像表示部１２０が有機発光表示素子である場合について説明する。
【００４６】
図示しなかったが、映像表示部１２０は、アノード電極、有機発光層、及びカソード電極を含む。映像表示部１２０はアノード電極から注入された正孔とカソード電極から注入された電子とが有機発光層内で結合してエキシトン（ｅｘｃｉｔｏｎ）を形成する。映像表示部１２０は、エキシトンが励起状態から基底状態に遷移する時、発生するエネルギーによって発光する。
【００４７】
映像表示部１２０は絶縁基板１１０上に配置される。映像表示部１２０は表示絶縁基板１１１及びダミー絶縁基板１１２に重畳するように配置されてもよく、場合によっては表示絶縁基板１１１に重畳し、ダミー絶縁基板１１２に重畳しないように配置されてもよい。
【００４８】
偏光フィルム１３０は、映像表示部１２０を介して絶縁基板１１０と対向するように配置される。偏光フィルム１３０は外光反射を抑制し、映像の側面視認性を改善する役割を果たす。
【００４９】
偏光フィルム１３０は、複数の透明フレキシブルフィルムが積層された形態で構成されており、透明であり、フレキシブルである。
【００５０】
偏光フィルム１３０は表示領域ＤＡに重畳するが、ダミー領域ＭＡに重畳されない。偏光フィルム１３０は第１方向ＤＲ１に第２長さＷ２を有する。第２長さＷ２は表示領域ＤＡにおける第１方向ＤＲ１の長さと同一である。
【００５１】
保護フィルム１４０は絶縁基板１１０を介して映像表示部１２０と対向するように配置される。保護フィルム１４０は絶縁基板１１０を下部の衝撃から保護する役割を果たす。
【００５２】
保護フィルム１４０は透過率が高い材料であれば、特に制限されることではなく、例えばポリエチレンテレフタレート、ポリブチレンフタレート、ポリエチレンナフタレート等のポリエステル、ポリスチレン、ポリカーボネート、ポリエーテルスルホン、ポリアクリラート、ポリイミド、ポリシクロオレフィン、ノルボルネン樹脂、ポリ（クロロトリフルオロエチレン）のような物質から構成されてもよい。
【００５３】
保護フィルム１４０は表示領域ＤＡに重畳するが、ダミー領域ＭＡに重畳されない。保護フィルム１４０は第１方向ＤＲ１に第２長さＷ２を有する。
【００５４】
本発明の一実施形態による巻き取り可能な表示装置は、ダミー領域ＭＡを形成するために、偏光フィルム１３０及び保護フィルム１４０に比べて、第１方向ＤＲ１において絶縁基板１１０をより長く形成する。
【００５５】
図５は本発明の他の実施形態による巻き取り可能な表示装置において、図３のＩ−Ｉ’線に沿って切断した断面図である。
【００５６】
以下、図５のフレキシブル表示パネル１０２と図４のフレキシブル表示パネル１０１の差異点を中心に説明し、説明されなかった部分は図４と関連された説明にしたがう。
【００５７】
図５のフレキシブル表示パネル１０２は絶縁基板１１０’、映像表示部１２０’、偏光フィルム１３０’、及び保護フィルム１４０を含む。
【００５８】
絶縁基板１１０は表示領域ＤＡに重畳し、ダミー領域ＭＡに重畳されない。絶縁基板１１０’は、第１方向ＤＲ１に第２長さＷ２を有する。第２長さＷ２は表示領域ＤＡにおける第１方向ＤＲ１の長さと同一である。
【００５９】
映像表示部１２０’は絶縁基板１１０’上に配置される。
【００６０】
偏光フィルム１３０’は、表示領域ＤＡに重畳する表示偏光フィルム１３１及びダミー領域ＭＡに重畳するダミー偏光フィルム１３２を含む。偏光フィルム１３０’は第１方向ＤＲ１に第１長さＷ１を有する。第１長さＷ１は、表示領域ＤＡにおける第１方向ＤＲ１の長さ及びダミー領域ＭＡにおける第１方向ＤＲ１の長さの合計と同一である。
【００６１】
保護フィルム１４０は表示領域ＤＡに重畳するが、ダミー領域ＭＡに重畳されない。保護フィルム１４０は第１方向ＤＲ１に第２長さＷ２を有する。
【００６２】
本発明の他の実施形態による巻き取り可能な表示装置は、ダミー領域ＭＡを形成するために、絶縁基板１１０’及び保護フィルム１４０に比べて、第１方向ＤＲ１において偏光フィルム１３０’をより長く形成する。
【００６３】
図６は本発明のその他の実施形態による巻き取り可能な表示装置において、図３のＩ−Ｉ’線に沿って切断した断面図である。
【００６４】
以下、図６のフレキシブル表示パネル１０３と図４のフレキシブル表示パネル１０１との差異点を中心に説明し、説明されなかった部分は図４と関連された説明にしたがう。
【００６５】
図６のフレキシブル表示パネル１０３は絶縁基板１１０’、映像表示部１２０’、偏光フィルム１３０、及び保護フィルム１４０’を含む。
【００６６】
絶縁基板１１０’は表示領域ＤＡに重畳するが、ダミー領域ＭＡに重畳されない。絶縁基板１１０’は第１方向ＤＲ１に第２長さＷ２を有する。第２長さＷ２は、表示領域ＤＡにおける第１方向ＤＲ１の長さと同一である。
【００６７】
映像表示部１２０’は絶縁基板１１０’上に配置される。
【００６８】
偏光フィルム１３０’は表示領域ＤＡに重畳するが、ダミー領域ＭＡに重畳されない。偏光フィルム１３０は第１方向ＤＲ１において第２長さＷ２を有する。
【００６９】
保護フィルム１４０’は表示領域ＤＡに重畳する表示保護フィルム１４１及びダミー領域ＭＡに重畳するダミー保護フィルム１４２を含む。保護フィルム１４０’は第１方向ＤＲ１において第１長さＷ１を有する。第１長さＷ１は、表示領域ＤＡにおける第１方向ＤＲ１の長さ及びダミー領域ＭＡにおける第１方向ＤＲ１の長さの合計と同一である。
【００７０】
本発明のその他の実施形態による巻き取り可能な表示装置は、ダミー領域ＭＡを形成するために、絶縁基板１１０及び偏光フィルム１３０に比べて、第１方向ＤＲ１において保護フィルム１４０’をより長く形成する。
【００７１】
図７は本発明のその他の実施形態による巻き取り可能な表示装置において、図３のＩ−Ｉ’線に沿って切断した断面図である。
【００７２】
以下、図７のフレキシブル表示パネル１０４と図４のフレキシブル表示パネル１０１との差異点を中心に説明し、説明されなかった部分は図４と関連された説明にしたがう。
【００７３】
図７のフレキシブル表示パネル１０４は、絶縁基板１１０’、映像表示部１２０’、偏光フィルム１３０、保護フィルム１４０、及びダミーフィルム１５０を含む。
【００７４】
絶縁基板１１０’は表示領域ＤＡに重畳するが、ダミー領域ＭＡに重畳されない。絶縁基板１１０’は第１方向ＤＲ１において第２長さＷ２を有する。第２長さＷ２は表示領域ＤＡにおける第１方向ＤＲ１の長さと同一である。
【００７５】
映像表示部１２０’は絶縁基板１１０上に配置される。
【００７６】
偏光フィルム１３０は表示領域ＤＡに重畳するが、ダミー領域ＭＡに重畳されない。偏光フィルム１３０は第１方向ＤＲ１に第２長さＷ２を有する。
【００７７】
保護フィルム１４０は表示領域ＤＡに重畳するが、ダミー領域ＭＡに重畳されない。保護フィルム１４０は第１方向ＤＲ１に第２長さＷ２を有する。
【００７８】
ダミーフィルム１５０はダミー領域ＭＡに重畳する。ダミーフィルム１５０は第１ダミーフィルム１５１及び第２ダミーフィルム１５２を含む。
【００７９】
第１ダミーフィルム１５１の一部及び第２ダミーフィルム１５２の一部は、保護フィルム１４０、絶縁基板１１０’、映像表示部１２０’、及び偏光板１３０を介して互いに対向する。
【００８０】
ダミー領域ＭＡにおいて重畳する第１ダミーフィルム１５１の残りの部分及び第２ダミーフィルム１５２の残りの部分は、互いに接着されている。
【００８１】
第１ダミーフィルム１５１は、偏光フィルム１３０の上面の第１方向ＤＲ１の一端付近に付着されている。
【００８２】
第２ダミーフィルム１５２は、保護フィルム１４０の下面の第１方向ＤＲ１の一端付近に付着されている。
【００８３】
第１ダミーフィルム１５１と偏光フィルム１３０との間、第２ダミーフィルム１５２と保護フィルム１４０との間、及び、第１ダミーフィルム１５１と第２ダミーフィルム１５２との間には接着剤が設けられ、それらは接着剤（図示せず）を通じて互いに接着されている。
【００８４】
第１ダミーフィルム１５１及び第２ダミーフィルム１５２の各々は透過率の高い材料であれば、特に制限はなく、例えばポリエチレンテレフタレート、ポリブチレンフタレート、ポリエチレンナフタレート等のポリエステル、ポリスチレン、ポリカーボネート、ポリエーテルスルホン、ポリアクリラート、ポリイミド、ポリシクロオレフィン、ノルボルネン樹脂、ポリ（クロロトリフルオロエチレン）等のプラスチックフィルムから形成されてもよい。
【００８５】
本発明のその他の実施形態による巻き取り可能な表示装置は、ダミーフィルム１５０を追加に含んで、ダミー領域ＭＡを形成する。
【００８６】
以上、添付された図面を参照して本発明の実施形態を説明したが、本発明が属する技術分野で通常の知識を有する者は本発明がその技術的思想や必須的な特徴を変形しなく、他の具体的な形態に実施できることを理解できる。したがって、以上で記述した実施形態にはすべての面で例示的なことであり限定的なことではない理解しなければならない。
【符号の説明】
【００８７】
１０００  巻き取り可能な表示装置
１００  フレキシブル表示パネル
１１０  絶縁基板
１２０  映像表示部
１３０  偏光フィルム
１４０  保護フィルム
１５０  ダミーフィルム
２００  ハウジング
２１０  メインハウジング
２２０  サブハウジング
【図１】
2015152922.tif 000003
【図２】
2015152922.tif 000004
【図３】
2015152922.tif 000005
【図４】
2015152922.tif 000006
【図５】
2015152922.tif 000007
【図６】
2015152922.tif 000008
【図７】
2015152922.tif 000009